(57)【特許請求の範囲】
【請求項１】
容器体口頚部へ上部を装着させて容器体内へシリンダを垂下すると共に、該シリンダ内から、ノズル付き押下げヘッドをステム上端部に有する作動部材を上方付勢させて起立し、該作動部材の上下動により、容器体内の液体を吸込み弁を介してシリンダ内へ吸い上げ、かつシリンダ内から吐出弁を経てノズルより液体を吐出可能に形成すると共に、押下げヘッドを付勢に抗して押下げ固定させて、保管乃至運搬することが可能に設けた縦形ポンプ式液体吐出容器において、
上記押下げヘッド35の一部にノズル34とステム32との連通を遮断可能な手動開閉弁67を設けると共に、上記吸込み弁61を構成する弁座61aと弁体61bとの各当接面の何れか一方に、上記手動開閉弁67の閉鎖時に押下げヘッド35を強制押下げしたときシリンダ11内で高圧化した液体が容器体１内へ逆流可能な液体戻し通路63を形成したことを特徴とする縦形ポンプ式液体吐出容器。
【請求項２】
上記押下げヘッド35は、天板37に開口して垂下する縦孔38の下部内に上記ステム32上部を嵌合させると共に、縦孔38上部にノズル孔34a基端を開口し、かつ、上記縦孔38上部内に、上面に摘み片43を付設した頂板42裏面から垂下した栓筒41を液密かつ回動自在に嵌合させ、かつノズル孔基端開口に接する栓筒部分を切除44することで、上記手動開閉弁67を形成したことを特徴とする、請求項１記載の縦形ポンプ式液体吐出容器。
【請求項３】
上記吸込み弁61は、シリンダ11の周壁下部から内向きフランジ状底壁15を介して起立する筒部16の上面を弁座61aとなし、該弁座に半径方向の切溝を穿設することで上記液体戻し通路63を形成したことを特徴とする、請求項１乃至請求項２記載の縦形ポンプ式液体吐出容器。
【発明の詳細な説明】
【０００１】
【発明の利用分野】
本発明は、縦形ボンプ式液体吐出容器に関する。
【０００２】
【従来の技術】
容器体口頚部に上部を装着させたシリンダ内から、押下げヘッドをステム上端に有する作動部材を上方付勢させて起立すると共に、押下げヘッドを下限位置に固定させて運搬可能とした縦形ポンプ式液体吐出容器が広く知られている。
【０００３】
【発明の解決しようとする課題】
上記従来の容器においては、既に使用したものを持ち運びするとき、例えば利用者が自分の洗髪用洗浄剤入り容器を銭湯などに持ち込んで使用したいときには、上記の如く押下げヘッドを押下げして固定する際、シリンダ内の液体がノズルから吐出され、内容液が無駄になるおそれがあった。
【０００４】
本発明は、かかる不都合を解消することを目的とするものである。
【０００５】
【課題を解決するための手段】
第1の手段は、容器体口頚部へ上部を装着させて容器体内へシリンダを垂下すると共に、該シリンダ内から、ノズル付き押下げヘッドをステム上端部に有する作動部材を上方付勢させて起立し、該作動部材の上下動により、容器体内の液体を吸込み弁を介してシリンダ内へ吸い上げ、かつシリンダ内から吐出弁を経てノズルより液体を吐出可能に形成すると共に、押下げヘッドを付勢に抗して押下げ固定させて、保管乃至運搬することが可能に設けた縦形ポンプ式液体吐出容器において、
上記押下げヘッド35の一部にノズル34とステム32との連通を遮断可能な手動開閉弁67を設けると共に、上記吸込み弁61を構成する弁座61aと弁体61bとの各当接面の何れか一方に、上記手動開閉弁67の閉鎖時に押下げヘッド35を強制押下げしたときシリンダ11内で高圧化した液体が容器体１内へ逆流可能な液体戻し通路63を形成している。
【０００６】
第2の手段は、上記第1の手段を有し、かつ上記押下げヘッド35は、天板37に開口して垂下する縦孔38の下部内に上記ステム32上部を嵌合させると共に、縦孔38上部にノズル孔34a基端を開口し、かつ、上記縦孔38上部内に、上面に摘み片43を付設した頂板42裏面から垂下した栓筒41を液密かつ回動自在に嵌合させ、かつノズル孔基端開口に接する栓筒部分を切除44することで、上記手動開閉弁67を形成している。
【０００７】
第3の手段は、上記第1の手段又は第2の手段を有し、かつ上記吸込み弁61は、シリンダ11の周壁下部から内向きフランジ状底壁15を介して起立する筒部16の上面を、弁座61aとなし、該弁座に半径方向の切溝を穿設することで上記液体戻し通路63を形成している。
【０００８】
【発明の実施の形態】
まず縦形ポンプ式の液体吐出容器として従来公知の部分を説明すると、１は、胴部２から口頚部３を介して起立する容器体である。
【０００９】
11はシリンダで、該シリンダ上部に付した外向きフランジ12を、パッキング13を介して上記口頚部３上端面へ載置させて容器体１内へ垂下している。
【００１０】
21は装着筒で容器体口頚部外面へ螺合させ、装着筒上端に付設した内向きフランジ22で、上記シリンダの外向きフランジ12を、パッキングを介して口頚部３上端面との間で挟持させている。
【００１１】
31は、作動部材で、ステム32下端に筒状ピストン33を付設し、又ステム上端へノズル34付きの押下げヘッド35を嵌着させて、シリンダ11内から上方付勢させて起立している。
【００１２】
51は、ピストン抜止め筒で上記ステム32を挿通させて、外向きフランジ上方へ突出するシリンダ部分外面へ、回動不能に嵌着させている。該抜止め筒の外周壁52は雄ねじ筒に形成しており、押下げヘッドを付勢に抗し押下げして該ヘッドの外周壁36を螺合させている。
【００１３】
既述シリンダ11の底部には吸込み弁61を、又ステム32上部内には吐出弁65をそれぞれ設けており、上記ピストン抜止め筒51と押下げヘッド35との螺合を外すと、作動部材31が上昇し、該状態から作動部材を上下動させることで、容器体内液体をシリンダ下端から垂下させた吸上げパイプ14を介してシリンダ内へ吸込み、該シリンダ内液体をステムを介してノズル34から吐出可能としている。
【００１４】
図示例では、上記吸込み弁61は、シリンダ11下部内面から内向きフランジ状の底壁15を介して起立する筒部16の上面を、弁座61aとし、かつ該弁座を弁体61bで閉塞してなる。該弁体は、支持筒62内方に複数連結片を介して支持された弁板で形成しているが、該弁板に替えて玉弁などとすることができる。
【００１５】
本発明においては、押下げヘッド35は、ステム32上方の天板37部分を開口して、該開口から縦孔38形成用壁部を垂設し、その縦孔下部内にステム32上端部を嵌着させると共に、ノズル孔34aの基端を上記縦孔38上部に開口させている。
【００１６】
上記縦孔38内には、栓筒41を液密かつ回動自在に嵌合する。該栓筒は押下げヘッド天板37上に載置された頂板42裏面から垂下しており、該頂板上面に摘み片43を付設すると共に、上記ノズル孔34ａ基端に接する栓筒部分を欠除44して手動開閉弁67を形成している。図示例では、上記摘み片43を、図１に示す如く前後方向に配向されかつステム32の軸に対して前方寄り、即ちノズル寄りの偏心位置に付設した位置合わせ兼用板部としている。
【００１７】
又、上記吸込み弁61は、図４に示す如く筒部16上端面で形成する弁座61aに、該筒部16及びステムの各内径よりも小幅で底浅の切溝63aを半径方向へ穿設して、該切溝内面と板状弁体61b下面とで液体戻し通路63を形成し、上記手動開閉弁67を閉鎖して押下げヘッド35を強制押下げしたときに、シリンダ11内で高圧化した液体が上記液体戻し通路63を介して容器体１内へ逆流するように設ける。
【００１８】
上記構成において、本発明容器を使用するときには、押下げヘッド35を図１に示す下限位置から、ピストン抜止め筒51に対して螺上昇させて図２の如く起立させればよい。この状態で押下げヘッド35を上下動させると、上記液体戻し通路63の開口面積をステム32及び吸上げパイプ14の横断面積に比べて十分に小さくしているため、上記液体戻し通路が存在しない場合とほぼ同様に、容器体１内の液体を吸込み弁61を介してシリンダ11内へ吸上げ、かつシリンダ内の液体を加圧して吐出弁65及び手動開閉弁67を介してノズル34から吐出することができる。
【００１９】
一旦容器を使い終わった後に押下げヘッド35を下限位置に戻すときには、摘み片43を摘んで図２の如く栓筒41を回動させると、手動開閉弁67が閉じ、この閉鎖状態で図３の如く押下げヘッド35を強制的に押し下げると、シリンダ11内の液体は通常の使用状態よりも更に高圧化されるため、上記液体戻し通路63を通って容器体１内へ戻される。そして押下げヘッド35を上記ピストン抜止め筒の外周壁52外面へ螺合させて固定し、該固定状態で手動開閉弁67を閉としたまま容器を持ち運びすれば良い。又、容器を再使用する場合には、再び押下げヘッド35を螺上昇させると共に、摘み片43を回して、図１に示す初期状態での摘み片前端部43aをノズル34側へ位置合わせすれば、図２の状態に戻る。
【００２０】
【発明の効果】
本発明は上記構成のものであり、請求項１の発明によれば、押下げヘッド35の一部にノズル34とステム32との連通を遮断可能な手動開閉弁67を設けると共に、吸込み弁の弁座61aと弁体61bとの間に液体戻し通路63を設けたから、容器運搬のために押下げヘッド35を下限位置に押し下げるときに、上記手動開閉弁67を閉じることでノズル34から無駄に液体が吐出されることを防止することができる。
【００２１】
請求項２の発明によれば、摘み片43付き頂板42裏面から垂下した栓筒41に欠除部44を穿設させてノズル孔34aと連通させたから、摘み片を利用した栓筒41の回動操作により上記手動開閉弁67を開閉させることができ、開閉作業が簡単である。
【００２２】
請求項３の発明によれば、シリンダ11の周壁下部から内向きフランジ状底壁15を介して筒部16を起立して、該筒部上端面に半径方向の切溝を穿設することで液体戻し通路63を形成したから、該通路形成のための成形乃至加工が容易である。
【図面の簡単な説明】
【図１】  本発明容器の押下げヘッドのロック状態での縦断面図である。
【図２】  上記ロック状態を解除したときの図１容器の縦断面図である。
【図３】  図２のロック解除状態であって手動開閉弁を閉とした状態での従断面図である。
【図４】  図１容器の要部を切り欠いて示す拡大図である。
【符号の説明】
１…容器体  ２…胴部  ３…口頚部
11…シリンダ  12…外向きフランジ  13…パッキング  14…吸上げパイプ
15…内向きフランジ状底壁  16…筒部
21…装着筒  22…内向きフランジ
31…作動部材  32…ステム  33…筒状ピストン  34…ノズル
34ａ…ノズル孔  35…押下げヘッド  36…外周壁  37…天板  38…縦孔
41…栓筒  42…頂板  43…摘み片  43a…摘み片前端部  44…切除部
51…ピストン抜止め筒  52…外周壁
61…吸込み弁  61a…弁座61a…弁体  62…支持筒  63…液体戻し通路
63a…切溝  65…吐出弁  67…手動開閉弁
【図１】
0003999033.tif 000002
【図２】
0003999033.tif 000003
【図３】
0003999033.tif 000004
【図４】
0003999033.tif 000005